(57)【特許請求の範囲】
【請求項１】
少なくとも１枚の針床を備えて、針床先端に続くスペースを針床から出没する針により編目を形成する歯口とし、歯口に沿って移動し先端の給糸口から編糸もしくはインレイ糸を歯口に供給する複数のヤーンキャリアと、歯口に経糸を供給する供給手段とを備えた横編機において、
前記各ヤーンキャリアは、下端にチップが取り付けられて、チップの下端に給糸口が設けられ、チップの上端よりもヤーンキャリアの基部寄りに、ヤーンキャリアから歯口側へ突き出し、かつ歯口を通過する経糸を歯口から見てヤーンキャリアとは反対側へガイドするガイド部材を設けることにより、経糸とチップとの干渉を防止するように構成されており、
横編機の側面視で、歯口の左右双方にヤーンキャリアを配置し、
かつ左右のヤーンキャリアでガイド部材の高さを異ならせることにより、ガイド部材同士の干渉を防止するように構成されていることを特徴とする、横編機。
【請求項２】
前記ガイド部材は、中央に歯口の長手方向と平行な直線部を備え、直線部の左右両側に経糸を前記直線部へガイドするガイド部を備えていることを特徴とする、請求項１の横編機。
【請求項３】
前記ガイド部は、ヤーンキャリアよりも歯口から離れた位置から経糸のガイドを開始する形状をしていることを特徴とする、請求項２の横編機。
【請求項４】
供給手段により針床先端に続くスペースからなる歯口に経糸を供給し、歯口に沿って移動するインレイ糸ヤーンキャリアの先端の給糸口からインレイ糸を歯口に供給し、歯口に沿って移動する編糸ヤーンキャリアの先端の給糸口から編糸を歯口に供給し、針床の針により編糸から編目を形成して経糸の層とインレイ糸の層を結合するマルチレイヤ編地の編成方法において、
前記各ヤーンキャリアは、下端にチップが取り付けられて、チップの下端に給糸口が設けられ、チップの上端よりもヤーンキャリアの基部寄りに、ヤーンキャリアから歯口側へ突き出すガイド部材を備え、前記ガイド部材により経糸を歯口から見てヤーンキャリアとは反対側へガイドすることにより、経糸とチップとの干渉を防止すると共に、
横編機の側面視で、歯口の左右双方にヤーンキャリアを配置し、
かつ左右のヤーンキャリアでガイド部材の高さが異ならせることにより、ガイド部材同士の干渉を防止することを特徴とする、マルチレイヤ編地の編成方法。
【発明の詳細な説明】
【技術分野】
【０００１】
この発明は、横編機及びマルチレイヤ編地の編成方法に関し、特に経糸とヤーンキャリアとの干渉を防止することに関する。
【背景技術】
【０００２】
特許文献１：特表2000-501792A（WO97/21860）は、横編機により、経糸の層と横糸の層を編糸で結合したマルチレイヤ編地を編成することを開示している。特許文献１では、経糸は横編機上方の供給手段から横編機の歯口へ供給し、横糸と編糸はヤーンキャリアから歯口に供給する。
【０００３】
発明者はここで、ヤーンキャリアを移動させると、ヤーンキャリア先端の給糸口が経糸と干渉することに着目した。経糸がヤーンキャリア先端の給糸口と干渉すると、経糸が歯口に沿ってシフトし、針床の針と接触しやすくなり、その結果編成が難しくなる。また仮に針と接触しないとしても、経糸の位置がシフトし編地が乱れる。
【先行技術文献】
【特許文献】
【０００４】
【特許文献１】特表2000-501792A
【発明の概要】
【発明が解決しようとする課題】
【０００５】
この発明の課題は、経糸との干渉を防止できるヤーンキャリアを備えた横編機を提供することにある。
この発明の課題はさらに、経糸とヤーンキャリアとの干渉無しに、マルチレイヤ編地を編成することにある。
この発明の追加の課題は、ヤーンキャリアのガイド部材で反らせた経糸が針と干渉しないようにすることにある。
この発明の追加の課題はまた、ヤーンキャリアのガイド部材で反らせた経糸が他のヤーンキャリアの裏面に回り込まないようにすることにある。
この発明の追加の課題はまた、向かい合うヤーンキャリア間でガイド部材が干渉せずに、ヤーンキャリアが通過できるようにすることにある。
【課題を解決するための手段】
【０００７】
この発明の横編機は、少なくとも１枚の針床を備えて、針床先端に続くスペースを針床から出没する針により編目を形成する歯口とし、歯口に沿って移動し先端の給糸口から編糸もしくはインレイ糸を歯口に供給する複数のヤーンキャリアと、歯口に経糸を供給する供給手段とを備えた横編機において、各ヤーンキャリアは、下端にチップが取り付けられて、チップの下端に給糸口が設けられ、チップの上端よりもヤーンキャリアの基部寄りに、ヤーンキャリアから歯口側へ突き出し、かつ歯口を通過する経糸を歯口から見てヤーンキャリアとは反対側へガイドするガイド部材を設けることにより、経糸とチップとの干渉を防止するように構成されており、横編機の側面視で、歯口の左右双方にヤーンキャリアを配置し、かつ左右のヤーンキャリアでガイド部材の高さを異ならせることにより、ガイド部材同士の干渉を防止するように構成されていることを特徴とする。なおこの発明のヤーンキャリアと横編機は、経糸と編糸のみを供給し、インレイ糸（横糸）を供給しない編成にも使用できる。その場合はマルチレイヤ編地ではなく、経糸と編糸とからなる編地が得られる。
【０００８】
この発明のマルチレイヤ編地の編成方法は、供給手段により針床先端に続くスペースからなる歯口に経糸を供給し、歯口に沿って移動するインレイ糸ヤーンキャリアの先端の給糸口からインレイ糸を歯口に供給し、歯口に沿って移動する編糸ヤーンキャリアの先端の給糸口から編糸を歯口に供給し、針床の針により編糸から編目を形成して経糸の層とインレイ糸の層を結合する編成方法において、各ヤーンキャリアは、下端にチップが取り付けられて、チップの下端に給糸口が設けられ、チップの上端よりもヤーンキャリアの基部寄りに、ヤーンキャリアから歯口側へ突き出すガイド部材を備え、前記ガイド部材により経糸を歯口から見てヤーンキャリアとは反対側へガイドすることにより、経糸とチップとの干渉を防止すると共に、横編機の側面視で、歯口の左右双方にヤーンキャリアを配置し、かつ左右のヤーンキャリアでガイド部材の高さが異ならせることにより、ガイド部材同士の干渉を防止することを特徴とする。
【０００９】
この発明では、ヤーンキャリアのガイド部材により経糸を歯口の反対側へ反らせるので、ヤーンキャリア先端のチップが経糸と干渉しない。従ってマルチレイヤ編地等の編成が容易になる。
【００１０】
好ましくは、ガイド部材は、中央に歯口の長手方向と平行な直線部を備え、直線部の左右両側に経糸を前記直線部へガイドするガイド部を備えている。なお直線部はインレイ糸用のヤーンキャリアには不要で、インレイ糸用のヤーンキャリアではガイド部を直線部を欠く弧状等の形状としても良い。直線部がないと、ガイド部材の中心部で、経糸は歯口の長手方向に水平面内で直角な方向、即ち針の出没方向のみでなく、歯口の長手方向にも傾斜する。ヤーンキャリアから編糸を供給すると、ヤーンキャリアの進行方向の直後方で針床の針により、編糸を捕捉して編目を形成する。ここで経糸が歯口の長手方向に傾斜すると、針が経糸と衝突する、あるいは針が経糸を捕捉するなどのトラブルが生じる。これに対して編糸供給用のヤーンキャリアのガイド部材の端面中央部に直線部を設けると、ガイドされる経糸は歯口の長手方向に沿って傾斜しない。従って上記のトラブルを解消できる。
【００１１】
また好ましくは、ガイド部は、ヤーンキャリアよりも歯口から離れた位置から経糸のガイドを開始する形状をしている。歯口から離れたとは、直線状の歯口に対し、ガイド部材の高さの位置で、平面視においてヤーンキャリアよりも歯口から離れた箇所からガイド部が始まることを意味する。針床を前後一対以上設ける場合、針床間のスペースの中心が歯口中心線で、歯口中心線に対してヤーンキャリアよりも離れた位置から、ガイドを開始する。このためにはガイド部材の左右に、ヤーンキャリアの裏面よりも歯口から遠い位置まで伸びる後退部を設けると良い。このようにすると、他のヤーンキャリアにより反らされた経糸がヤーンキャリアの裏面へ回り込むことがない。
【００１２】
この発明では、横編機の側面視で、歯口の左右双方にヤーンキャリアを配置し、左右のヤーンキャリアでガイド部材の高さを異ならせる。このようにすると向き合ったヤーンキャリア間でガイド部材が干渉しないので、これらのヤーンキャリアがクロスするように移動させることができる。従って、例えばインレイ糸供給用のヤーンキャリアを先行、編糸供給用のヤーンキャリアを後行として、ヤーンキャリアを移動させることができ、編成効率を向上させることができる。仮にガイド部材が互いに干渉すると、インレイ糸供給用のヤーンキャリアを先行、編糸供給用のヤーンキャリアを後行として１コース編成した後、次のコースでは編糸供給用のヤーンキャリアが先行、インレイ糸供給用のヤーンキャリアが後行となる。
【図面の簡単な説明】
【００１３】
【図１】マルチレイヤ編地の編成原理を示す図
【図２】経糸挿入用の治具を示す図
【図３】マルチレイヤ編地の編組織を示す図
【図４】編糸を平編みする編成組織を示す図
【図５】編糸をリブ編みする編成組織を示す図
【図６】横編機の歯口付近を示す側面図
【図７】横編機の歯口付近を示す平面図
【図８】実施例のヤーンキャリアの正面図
【図９】実施例で編成した編地の写真
【発明を実施するための形態】
【００１４】
以下に、発明を実施するための最適実施例を示す。この発明の範囲は、特許請求の範囲の記載に、周知技術による変更の可能性を加味して解釈されるべきである。
【実施例】
【００１５】
図１〜図９に、実施例を示す。図において、２は横編機で、例えば前針床Fと後針床Rとを備えるが、前針床Fのみでもよく、あるいは針床を前後上下に４枚など、より多数備えても良い。前後の針床F,R間の歯口３には経糸４が上下方向に通され、インレイ糸（横糸）６がヤーンキャリア１０で供給され、編糸８がヤーンキャリア１２で供給される。歯口３は針床の先端に続くスペースで、針床F,Rの針の出没方向に水平面内で直角に延び、針床F,Rの長手方向に平行である。歯口の中心という場合、針の出没方向に関する歯口の中心を言う。また歯口中心線は針床F,R間のスペースの中心にあり、針床F,Rの長手方向に平行な線である。経糸４は例えばカーボンファイバー，ガラスファイバー，アラミドファイバーなどから成り、特に強度が高く曲げが困難なカーボンファイバーが好ましい。インレイ糸６はガラスファイバーあるいはアラミドファイバーなどから成り、特に屈折が容易なアラミドファイバーが好ましい。ヤーンキャリア１０はインレイ糸６を供給するが、針床F,Rの針はインレイ糸６に対しては編成動作を行わない。編糸８はヤーンキャリア１２から供給され、針床F,Rの針による編成動作を受けて、編目(ニードルループ)と渡り糸（シンカーループ）とになり、経糸４とインレイ糸６を互いに結びつける。
【００１６】
図２は経糸４を供給するための治具１４を示し、治具１４には例えば多数の孔があり、この孔を経糸４が上から下へと通過して歯口３へ供給される。実施例では強化ファイバーとして経糸４とインレイ糸６とを供給するが、これ以外に斜めに強化ファイバーを供給することもでき、その場合、例えば治具１４から編地の斜め上から針床F,Rへ供給する。あるいは編地を、針床F,R間の目移しと針床のラッキングとにより、針床F,Rの長手方向に沿って移動させても、斜めに強化ファイバーを通すことができる。複数本の平行な経糸４は経糸の層を成し、複数本の平行なインレイ糸６はインレイ糸の層を成し、斜めに糸を供給する場合、これらに斜めの糸の層が加わる。斜めの糸は、例えば水平方向から45°傾いた方向と135°傾いた方向の２方向に配置する。
【００１７】
図３にマルチレイヤ編地の構造を示し、図の上から下への順に経糸４の層とインレイ糸６の層と編目１６の層とがあり、経糸４の層は歯口の中心付近にあり、歯口の中心から一方に寄った位置にインレイ糸６の層があり、編目１６の層はインレイ糸６の層よりも歯口の中心から外れた側にある。編目１６，１６間の渡り糸１８は経糸４とインレイ糸６を編目１６に結び付け、編目１６と渡り糸１８とで経糸４の層とインレイ糸６の層を結合する。１７は１コース前の編目で、編目１６をインレイ糸６の図３での下側に固定する。図３の構造の編地から経糸４を除くと、一種のインレイ編地となる。なお通常のインレイ編地では、図３の経糸４の位置でも編目を形成してリブ編地とする。
【００１８】
図３の編地を編成するには、例えば歯口の中心を通るように経糸４を治具から供給し、インレイ糸６の供給用のヤーンキャリアを先行して歯口に沿って移動させ、インレイ糸６を供給する。次いで、経糸４から見てインレイ糸６の反対側（図３の上側）に沿って、歯口に平行に編糸の供給用のヤーンキャリアを移動させ、針床の針で編目１６を形成する。以上のようにインレイ糸供給用のヤーンキャリア１０が先行し、編糸供給用のヤーンキャリア１２が後行する。キャリッジの１コースの間に、インレイ糸６を供給し、編目１６を編成して、経糸４とインレイ糸６とを編み込むことができる。従って効率的に編成できる。またインレイ糸供給用のヤーンキャリア１０と編糸供給用のヤーンキャリア１２は、歯口中心線の左右に、横編機の側面視で互いに向き合うように配置する。例えば針床の針を選択し、経糸４の正面にある針は動作させず、経糸４と経糸４の間の針を動作させて、編目１６を形成する。なお針の配置間隔が広い場合、経糸４を針と針の間に配置して、全ての針を動作させることもできる。
【００１９】
図４，図５にマルチレイヤ編地の組織を示す。図４では、経糸４の層の前針床F側にインレイ糸６の層が有り、さらに前針床F側に編目１６の層がある。そして渡り糸１８が経糸４の後側を通ることにより、経糸４の層とインレイ糸６の層を編目１６の層に結合する。図４では、例えば前針床Fの針のみでマルチレイヤ編地を編成でき、編目１６の編組織は平編である。
【００２０】
図５では、リブ編地を用いてマルチレイヤ編地を編成する。前針床Fと後針床Rとの間に経糸４の層があり、その両側に一対のインレイ糸６，７を配置する。また編糸として一対の編糸８，９を用い、これらをリブ編成する。各編糸８，９により、前針床F側と後針床R側とに編目１６を形成し、この間の渡り糸１８，１９により、経糸４とインレイ糸６，７を編目１６の層に結合する。
【００２１】
実施例では、歯口３の付近で経糸４がヤーンキャリア１０，１２先端のチップ２４に設けた給糸口２５と干渉する恐れがある。即ち、歯口３を上下に通過する経糸４が、ヤーンキャリア１０，１２、特にヤーンキャリア１０，１２の先端のチップ２４と、給糸口２５の付近で接触して運ばれ、あるいは歯口３を通過する位置がシフトする恐れがある。経糸４の位置がシフトすると、針床から進出する針と衝突し、あるいは針に捕捉される可能性があり、また仮に針と接触しないにしても、編地が乱れる可能性がある。経糸４がヤーンキャリア１０，１２先端の給糸口２５と干渉することを防止するための機構を、図６〜図８に示す。
【００２２】
図６〜図８に示すように、ヤーンキャリア１０，１２にプレート状のガイド部材２６を設けて、経糸４をガイドする。図６に示すように、針２０，２１は針床F,Rから出没し、ヤーンキャリア１２から供給する編糸８により編目を形成する。またヤーンキャリア１０，１２は先端にチップ２４を備え（図８）、チップ２４の給糸口２５を通って、インレイ糸６と編糸８が供給される。ガイド部材２６はヤーンキャリア１０，１２に板状の取付部３４でボルト３６とナット３８等により固着され、固着の手段は任意である。ガイド部材２６はヤーンキャリア１０，１２から歯口３の中央方向へ突き出した突出部２８を備え、経糸４と接触すると突出部２８の端面に沿って経糸４を反らせる。この結果、経糸４をチップ２４の給糸口２５等と干渉させずに、ヤーンキャリア１０，１２が通過できる。
【００２３】
図７に示すように、突出部２８の中央に歯口に平行な直線状の端部からなる直線部３０があり、その左右に直線部３０へと経糸をガイドするガイド部３１がある。直線部３０の長さｗは、針２０，２１の操作用の図示しないキャリッジ等により、針が針床F,Rから進出する区間の長さの最大で２倍程度とし、より短くても良い。この長さは歯口に沿った長さで、針の配列ピッチと、キャリッジが同時に針床F,Rから進出させる針の本数の積で定まる。また左右のガイド部３１，３１の部分で突出部２８に連続して後退部３２，３２を設け、後退部３２はヤーンキャリア１０，１２の裏面（歯口と反対側の面）よりも、歯口から遠ざかっている。なおインレイ糸６用のヤーンキャリア１０では、直線部３０を設けなくても良い。
【００２４】
図６に戻り、歯口の左右に配置された向かい合うヤーンキャリア１０，１２で、ガイド部材２６の取り付け高さを異ならせる。なおヤーンキャリア１０，１２は経糸４の列（歯口中心線）の左右に例えば数本ずつ設けることができ、経糸４の列から見て同じ側にあるヤーンキャリアはガイド部材２６の高さを共通にしても異ならせても良い。
【００２５】
図８に示すように、ヤーンキャリア１０，１２の上部（基部）には連行部４０があり、例えば図示しないヤーンキャリアレールに沿って、歯付ベルト４１と従動ローラ４２で、ヤーンキャリア１０，１２を移動させる。ヤーンキャリア１０，１２は、針の操作用のキャリッジと共に移動する部材から出没するピンなどで連行しても良い。
【００２６】
ガイド部材２６の作用を示す。図７に示すように、ヤーンキャリア１０，１２が移動すると、経糸４はガイド部３１に接触して、ヤーンキャリアから見て歯口中心線３９の反対側へ反るようにガイドされ、直線部３０を介して、次のガイド部３１へとガイドされる。このため図６に示すように、チップ２４と経糸４との接触を防止できる。
【００２７】
ガイド部材２６で経糸４をガイドする際に、直線部３０以外の箇所では、経糸４が歯口の長手方向にもシフトする。経糸４が歯口の長手方向にシフトすると、針床F,Rから進出する針と干渉するおそれがある。ここで直線部３０では、経糸４は歯口の長手方向にシフトしないので、針と干渉しない。なお一般に、針は、ヤーンキャリア１２の運動方向中心からその直後の範囲から、数本程度が進出する。この区間を図７に模式的に半円で示す。そこで直線部３０の長さがこの区間の長さの２倍以上あれば、歯口の長手方向に傾斜した経糸４と針が接触するおそれはない。また針の先端が歯口中心線３９付近まで進出しないと、針は経糸４と接触しないので、直線部３０の長さはより短くてもよい。なおインレイ用のヤーンキャリア１０の下部で針が進出することはないので、直線部３０は編糸用のヤーンキャリア１２にのみ設ければよい。
【００２８】
経糸４が直線部３０でガイドされている際に、ヤーンキャリア１０，１２が向かい合うヤーンキャリア１２，１０とクロスすると、経糸４が向かい合うヤーンキャリア１２，１０の裏面へ運ばれるおそれがある。そこで左右の後退部３２，３２を設け、ヤーンキャリア１２，１０の裏面よりも歯口中心線３９から離れた位置から、経糸４の直線部３０へのガイドが始まるようにすると、経糸４がヤーンキャリア１２，１０の裏面へ運ばれることがない。  
【００２９】
向かい合うヤーンキャリア１０，１２がクロスする際に、ガイド部２６が衝突しないようにする必要がある。そこでガイド部２６を高さを変えて、向かい合うヤーンキャリア１０，１２に取り付ける。
【００３０】
ガイド部材２６を設ける代わりに、歯口３の幅を大きくし、ヤーンキャリア１０，１２の先端に取り付けたチップ２４の付近で、経糸４がチップ２４と接触しないようにすることも、発明者は検討した。ただしこのようにすると、大きな編目が形成されるので、編目の層が緩む。従ってガイド部材２６により経糸４を歯口の反対側に反らせる。また発明者は、治具１４を前針床Ｆと後針床Ｒ間で揺動させることも検討した。例えば、ヤーンキャリア１０でインレイ糸６を供給する際には、治具１４を後針床Ｒ側へ揺動させることにより、経糸１４と干渉しないようにし、ヤーンキャリア１２で編糸を供給する際には治具１４を前針床Ｆ側へ揺動させることにより、経糸４と干渉しないようにすることを検討した。しかしこのようにすると、治具１４をヤーンキャリア１０，１２の移動と同期して揺動させる機構が必要になる、また治具１４が反対方向に揺動できるように、治具１４の付近を通過する時間を、ヤーンキャリア１０とヤーンキャリア１２とでずらせる必要がある。従って編成効率が低下する。    
【００３１】
図９は螺旋状に編成したマルチレイヤ編地を示し、ここでは経糸及びインレイ糸として組紐状の糸を用いているが、これは試作編地だからである。図９でマルチレイヤ編地の前後から延びている組紐状の糸が経糸で、マルチレイヤ編地の横方向に沿って折り返している組み紐状の糸がインレイ糸である。マルチレイヤ編地が螺旋状になっているのは、引き返し編成により、編幅の内側と外側とで編目の数が異なるためで、編幅の内側では編目の数が少なく、外側では多い。このためマルチレイヤ編地は編目の少ない側を内側に、多い側を外側にカールし、図９の形態となる。図９のマルチレイヤ編地は、長い場合は螺旋状となり、短い場合は螺旋の一部の形状となる。
【００３２】
実施例では以下の効果が得られる。
1)  経糸４が給糸口２５の付近でチップ２４と干渉するおそれがない。
2)  向かい合うヤーンキャリア１０，１２で、ガイド部材２６が互いに干渉しない。
3)  直線部３０を設けると、針床F,Rから進出した針が経糸４と接触しない。
4)  左右の後退部３２，３２を設けると、経糸４がヤーンキャリア１０，１２の裏面へ運ばれることがない。
【符号の説明】
【００３３】
２          横編機
３          歯口
４          経糸
６，７      インレイ糸
８，９      編糸
１０，１２  ヤーンキャリア
１４        治具
１６，１７  編目
１８，１９  渡り糸
２０，２１  針
２４        チップ
２５        給糸口
２６        ガイド部材
２８        突出部
３０        直線部
３１        ガイド部
３２        後退部
３４        取付部
３６        ボルト
３８        ナット
３９        歯口中心線
４０        連行部
４１        歯付ベルト
４２        従動ローラ
F           前針床
R           後針床    
【図１】
0005618590.tif 000002
【図２】
0005618590.tif 000003
【図３】
0005618590.tif 000004
【図４】
0005618590.tif 000005
【図５】
0005618590.tif 000006
【図６】
0005618590.tif 000007
【図７】
0005618590.tif 000008
【図８】
0005618590.tif 000009
【図９】
0005618590.tif 000010